(57)【特許請求の範囲】
【請求項１】
上下端の少なくともいずれかに連結部を有するとともに、吐出口を有し、または有しない管状注入管要素と、上下端の少なくともいずれかに連結部を有するとともに、袋パッカを付設し、かつ、この袋パッカ内に吐出口を有する袋パッカ付注入管要素とを連結部で任意に連結してなる地盤注入用組立式注入管。
【請求項２】
請求項１において、最下部には下端が閉塞された管状注入管要素または袋パッカ付注入管要素を連結してなる請求項１に記載の地盤注入用組立式注入管。
【請求項３】
請求項１において、パッカ付注入管要素間に位置する少なくとも一個の管状注入管要素は吐出口を有する請求項１に記載の地盤注入用組立式注入管。
【発明の詳細な説明】
【０００１】
【発明の属する技術分野】
この発明は固結すべき地盤中に地盤固結材を注入して該地盤を固結する地盤注入用注入管に係り、特に、長さの短い複数種の注入管要素（パーツ）を現場に搬入し、現場で注入深度に合わせて任意の長さに組み立てて形成され、このため運搬が容易である地盤注入用組立式注入管に関する。
【０００２】
【従来の技術】
固結すべき地盤中に地盤固結材を注入して該地盤を固結する地盤注入用注入管として、従来、長尺の注入管が用いられ、これを長尺のまま、現場に搬入して使用に供されていた。
【０００３】
【発明が解決すべき課題】
しかし、上述の長尺注入管は丈が長すぎて現場への搬送が非常に困難であるという欠点を有していた。特に、最近、袋パッカを有する注入管、複数の注入細管を結束してなる注入管、あるいはさらに、複数の管路を内在してなる注入管等が提案されている。これらはいずれも多機能を有するものであり、このため、構造が複雑であり、これを現場で簡便に取り扱うことのできる注入管構造の開発が課題となっていた。
【０００４】
そこで、本発明の目的は注入管を異なる機能を有する丈の短い複数の注入管要素（パーツ）に分割し、この注入管要素（パーツ）を現場に搬入し、現場で注入深度に合わせて任意の長さに組み立てて形成され、このため運搬が容易となり、しかも、多機能を有する複雑な構造の注入管を確実に、かつ容易に現場で組み立て、上述の公知技術に存する欠点を改良した地盤注入用組立式注入管を提供することにある。
【０００５】
【課題を解決するための手段】
上述の目的を達成するため、本発明によれば、上下端の少なくともいずれかに連結部を有するとともに、吐出口を有し、または有しない管状注入管要素と、この管状注入管要素に袋パッカを付設してなる袋パッカ付注入管要素とを前記連結部で任意に連結してなることを特徴とする。
【０００６】
さらに、上述の目的を達成するため、本発明によれば、細管挿入孔を有する複数の台座と、これら台座の細管挿入孔に挿入される複数本の細管とを備え、互いに隣接する台座間に位置する細管、または最下部に位置する細管のうち少なくとも一本の細管には、少なくとも一個の吐出口を有するように台座および複数の細管を組み合わせてなることを特徴とする。
【０００７】
さらに、上述の目的を達成するため、本発明によれば、台座の細管挿入孔に一本または複数本の細管を挿入してなる細管組合わせ体、および／または対向する台座の細管挿入孔に一本または複数本の細管を挿入または橋絡してなる細管組合せ体を任意に連結して組み合わせてなり、前記細管組合せ体の少なくとも一本の細管には少なくとも一個の吐出口を有することを特徴とする。
【０００８】
さらに、上述の目的を達成するため、本発明によれば、一対の対向する台座の細管挿入孔に細管を橋絡するとともに、前記細管の少なくとも一本には吐出口が設けられ、これを袋パッカ内に位置せしめて台座側面周囲に袋パッカ開口部を付着せしめてなる少なくとも一個の袋パッカ付細管要素と、少なくとも一本には吐出口を有する複数本の細管とを任意に組み合わせてなることを特徴とする。
【０００９】
さらに、上述の目的を達成するため、本発明によれば、上下いずれか一方、または両方に連結部材を備え、軸方向に細管を穿設するとともに、側壁に前記内管に通じる吐出口を開口した複数個の中実注入管要素を任意に組み合わせてなることを特徴とする。
【００１０】
【発明の実施の態様】
以下、本発明を添付図面を用いて詳述する。図１（ａ）および（ｂ）、図２（ａ）〜（ｄ）および図３（ａ）〜（ｄ）は本発明にかかる注入管要素（パーツ）であって、図１（ａ）および（ｂ）、および図３（ａ）〜（ｃ）は袋パッカ付注入管要素の一具体例の断面図、図２（ａ）〜（ｄ）は管状注入管要素の一具体例の断面図、図３（ａ）〜（ｄ）は注入管の最下部に連結される注入管要素である。
【００１１】
図１（ａ）、（ｂ）は袋パッカ付注入管要素Ａであって、注入管２の上下端外壁にねじ２ａ、２ａが切られ（図１（ｂ））、側壁２ｃにゴムスリーブ４で覆われた吐出口６（図４に示される）を有し、かつ上下端が開口された管状注入管要素Ｅ（図２（ｄ））に連結部１を介して袋パッカ５を付設して構成される。
【００１２】
本発明において連結部とは注入管要素が互いに連結される部分を言い、図２（ｄ）の連結部１のように別々の部材でもよいし、注入管要素の端部の上下のいずれかがそれぞれ外側にねじ切りされているか、内側にねじ切りされていれば連結部１がなくても連結できるから、ねじ部が連結部となる。
【００１３】
図２（ａ）、（ｂ）は管状注入管要素Ｂ−１、Ｂ−２であって、注入管２の上端外壁および下端内壁（図示せず）にねじ２ａが切られ、側壁２ｃにゴムスリーブ４で覆われた吐出口６（図４に示される）を有し、かつ上下端が開口して構成される。これら管状注入管要素Ｂ−１、Ｂ−２は上下端の肉厚を厚くすることによりねじりによる強度低下が抑えられる。また、リブをつけることにより、少ない材料使用量で大きな強度を得ることができる。
【００１４】
図２（ｃ）は管状注入管要素Ｃであって、注入管２の上端外壁には径がやや小さくて図２（ａ）下端内壁のねじ２ａと合致するねじ２ｂが切られ（互いに合致するねじ２ａおよび２ｂをもって連結部１を形成する）、かつ下端外壁にはねじ２ａが切られ、さらに、上下端が開口して構成される。吐出口は有していない。
【００１５】
図２（ｄ）は注入管２の上下端外壁にねじ２ａを有し、かつ側壁２ｃにゴムスリーブ４を有し、連結部１を用いて互いに連結され、上下端の開放された管状注入管要素Ｅ、Ｅであって、例えば図５に示されるように使用される。
【００１６】
図３（ａ）〜（ｃ）は袋パッカ付注入管要素Ｄ、図３（ｄ）は管状注入管要素Ｆであって、注入管２の上端外壁に図４に示されるようにねじ２ａが切られ、側壁２ｃにゴムスリーブ４で覆われた吐出口６を有し、かつ、上端を開口するとともに下端を閉塞して構成される。
【００１７】
図４は図１（ａ）、図２（ａ）、（ｂ）および図３（ａ）の各種注入管要素を連結部１で互いに連結し、任意に組み合わせて得られる注入管２の一具体例であって、袋パッカ付注入管Ａ、管状注入管要素Ｂ−１、管状注入管要素Ｂ−２、および袋パッカ付注入管要素Ｄをそれぞれ組み合わせて注入管２を形成する。この注入管２を地盤８の削孔７に挿入し、袋パッカ５に硬化材を填充してパッカとする。そして、注入材を注入管２を通し、吐出口６を介してゴムスリーブ４を押し開けて地盤８中に注入する。
【００１８】
図５は管状注入管要素Ｅを連結部１で互いに連結し、さらに図１（ａ）の袋パッカ付注入管要素Ａおよび図３（ａ）の袋パッカ付注入管要素Ｄをそれぞれ任意に組み合わせて得られる注入管２を示す。この注入管２を地盤８の削孔７に挿入し、図４と同様にしてパッカを形成し、地盤８中に注入材を注入する。
【００１９】
図６は図３（ｄ）の管状注入管要素Ｆを用いた注入管２を示す。これは注入管２の上端外壁にねじ２ａが切られ、下端は図６に示されるように閉塞され、かつ側壁２ｃにゴムスリーブ４で覆われた吐出口（図６に示される）を有して構成される。
【００２０】
そして、図６に示される図１と同じ袋パッカ付注入管要素Ａ、図２（ｄ）の管状注入管要素Ｅを任意に組み合わせ、図３（ｄ）の管状注入管要素Ｆを最下部に連結して図６に示す注入管２を形成する。この注入管２を地盤８の削孔７に挿入し、図４と同様にしてパッカを形成し、地盤８中に注入材を注入する。
【００２１】
図７（ａ）〜（ｆ）は本発明にかかる他の形式の注入管要素（パーツ）の例であって、図７（ａ）は台座９の基本例、図７（ｂ）、（ｃ）はそれぞれ変形例、図７（ｄ）は細管の各種例、図７（ｅ）は支持棒および注入外管の例、図７（ｆ）は台座を用いた細管の結合例の部分断面図を示す。細管は軟質あるいは硬質の合成樹脂、金属等、任意の材質を用いることができる。
【００２２】
図８（ａ）〜（ｇ）もまた本発明にかかる注入管要素（パーツ）の他の例であって、図８（ａ）は台座９、９間に細管12を橋絡して形成される細管組合せ体Ｗ−１を示し、これらを台座９面で互いに連結して使用に供される。図８（ｂ）は台座９の細管挿入孔に複数本の細管12を挿入して形成される細管組合せ体Ｗ−２であって、他の注入管要素と組み合わせて使用される。図８（ｃ）は細管12を巻いた状態を示し、このまま現場に搬入して所望の長さに切断して使用に供される。図８（ｄ）および（ｅ）もまた、台座９の細管挿入孔に複数本の細管12を挿入して形成される細管組合せ体Ｗ−３、Ｗ−４であり、図８（ｆ）は図８（ｄ）および（ｅ）を連結して形成される細管組合せ体Ｗ−５であり、図８（ｇ）は台座９として図７（ｃ）に示されるものを用い、図８（ｆ）にさらに他の細管組合せ体を連結して形成される連結組合せ体Ｗ−６である。本発明ではこれらの注入管要素を任意に組み合わせることにより、図９〜図１２に示される各種注入管を形成する。これら各種注入管を以下に詳述する。
【００２３】
図９および図１０は図７（ａ）の台座９および図７（ｄ）の細管12あるいは図８（ａ）〜（ｇ）を任意に組み合わせて形成される注入管２を示す。この注入管２は複数の細管挿入孔10、10・・・10が上面９ａから下面９ｃに貫通された台座９と、この台座９の細管挿入孔10、10・・・10に挿入される複数本の細管12とを備え、細管12を台座９の細管挿入孔10、10・・・10に図７（ｆ）に示されるように上下面９ａ、９ｃから挿入し、上下の細管端部を連結して組み合わされる。そして、互いに隣接する台座９、９間に位置する細管12、12・・・12、または最下部に位置する細管12、12・・・12のうち少なくとも一本の細管12には、ゴムスリーブ４に覆われた少なくとも一個の吐出口６ａが備えられる。すなわち、図９は一本の細管12に一個の吐出口６ａが、図１０は一本の細管12に２個の吐出口６ａ、６ａがそれぞれ備えられる。なお、上下の細管の端部は台座を介して連結することもでき、また、上下の台座の中間部で互いにかみ合わせて連結してもよい。
【００２４】
このようにして形成された注入管２は図９および図１０に示されるように、それぞれ地盤８の削孔７に挿入する。次いで、削孔７にスリーブグラウト15を填充の後、細管12を通して吐出口６ａから注入材をスリーブグラウト15を破って地盤８中に注入する。
【００２５】
図１１は台座９として図７（ｂ）のものを用い、台座９の孔11に図７（ｅ）の支持棒13を挿入し、図９、図１０と同様にして台座９と、細管12とを任意に組み合わせて形成される注入管12を示す。
【００２６】
図１２は台座９として図７（ｂ）のものを用い、かつ、図１１における支持棒13の代わりに注入機能を有する注入外管14を用い、台座９の孔11に注入外管14を挿入し、図９、図１０と同様にして台座９と細管12とを任意に組み合わせて形成される注入管２を示す。細管12の吐出口６ａ、６ａ・・・６ａからも注入材をゴムスリーブ４を押し開き、スリーブグラウト15を破って地盤８中に注入する。なお、台座９として、図７（ａ）および図７（ｂ）の代わりに、側面にも開口された細管挿入孔10ａ、10ａ・・・10ａを有するものを用いることもできる。注入後、細管12からの注入が不充分であることが後にわかった場合、注入外管14には内管16が挿入される。内管16は先端に内管吐出口16ａを有し、この内管吐出口16ａの上下にはパッカ17、17が配置される。そして、内管16の吐出口16ａから注入材を吐出させ、外管吐出口14ａを通してゴムスリーブ４を押し開き、スリーブグラウト15を破りながら地盤８中に注入材を注入することができる。
【００２７】
注入機能を有する支持棒は中空管であって、側面に吐出口をもった硬質のものである。細管がナイロンのように軟質の場合、注入管全体がたわみやすいため、削孔中に設置しにくく、特に斜め上に削孔した注入孔中に設置するのはむずかしい。この場合、支持棒を設けると、管全長の直線の形状保持が容易となる利点がある。中空管の中に内管を挿入して注入しなくても中空間の中にあらかじめ細砂を填充しておき、注入の際には所定の深度まで細い水噴射管から水を噴射させて細砂を洗い出して中空管上端から注入する工程を最深度までくり返してもよい。また、注入機能を有する上記中空管は注入前後に注水して注入地盤の注入前後の透水性の変化や注入効果を確認できる。
【００２８】
図１３（ａ）および図１３（ｂ）は袋パッカ付細管要素ＧおよびＨであって、複数個の細管挿入孔10、10・・・10が貫通された図７（ａ）に示される一対の台座９、９を袋パッカ５内に配設し、この台座９、９間の対向する挿入孔10、10・・・10に複数本の細管12、12・・・12を橋絡するとともに、少なくとも一本の細管12の先端は袋パッカ５内に開口する吐出口６ａを有して形成される。
【００２９】
図１３（ｃ）は袋パッカ付細管要素Ｉ−１であって、袋パッカ５内に配設された台座９から袋パッカ５内に開口する吐出口６ａを有する細管12ａが伸長して形成される。図１３（ｅ）は下端の台座９からさらに下方に突出した細管12ａを有する袋パッカ付細管要素Ｉ−２である。
【００３０】
図１３（ｄ）は細管12および先端に吐出口６ａを有する細管12ａである。
【００３１】
図１３（ａ）、（ｂ）、（ｃ）、（ｄ）および（ｅ）の注入管要素を台座９の細管挿入孔10、10・・・10に細管12または細管12ａを挿入することにより任意に組み合わせ、図１４に示される注入管２を形成する。図１４の注入管２は袋パッカ付細管要素Ｇ、細管12および細管12ａ、袋パッカ付細管要素Ｈ、細管12および細管12ａおよび袋パッカ付細管要素Ｉ−１をそれぞれ上方から順次に組み合わせて形成され、地盤８の削孔７に挿入し、袋パッカに硬化材を填充してパッカを形成した後、細管12ａの吐出口６ａから注入材を導入し、地盤８中に注入する。
【００３２】
図１５（ａ）、（ｂ）、（ｃ）、（ｄ）および（ｅ）は支持棒13を加えたことを除いてそれぞれ図１３（ａ）、（ｂ）、（ｃ）、（ｄ）、（ｅ）と同じである。図１５（ａ）、（ｂ）、（ｃ）、（ｅ）はそれぞれ袋パッカ付細管要素Ｊ、Ｋ、Ｌ−１、Ｌ−２であり、図１５（ｄ）の13は支持棒である。
【００３３】
図１６は図１５（ａ）、（ｂ）、（ｃ）、（ｄ）の注入管要素を任意に組み合わせて形成される注入管２を示し、支持棒13が加わったことを除いて図１４と同じである。支持棒は連続した一本を各注入管要素に貫通させてもよいし、任意の個所で連結したものであってもよい。
【００３４】
図１７（ａ）および図１７（ｂ）はそれぞれ、袋パッカ付細管要素ＭおよびＮであって、細管挿入孔10、10・・・10および注入機能を有する支持棒であって支持棒として注入外管を組み合わせた例で注入外管用挿入孔11が貫通された図７（ｂ）に示す一対の台座９、９を袋パッカ５内に配設し、台座９、９間の対向する細管挿入孔10、10および注入外管挿入孔11、11にそれぞれ細管12および側壁に吐出口14ａ（図１８に示される）を有する注入外管14を橋絡して形成される。
【００３５】
図１７（ｃ）、（ｄ）および（ｅ）はそれぞれ袋パッカ付注入外管要素Ｏ、Ｐ−１、Ｐ−２であって、袋パッカ５内に配設された台座９から袋パッカ５内に開口する吐出口14ａを有する注入外管要素14が伸長されて形成される。図７（ｅ）はさらに下端の台座９から下方に突出した細管12ａを有する注入外管要素Ｐ−２を示す。
【００３６】
図１７（ｆ）はそれぞれ、側壁に吐出口14ａを有する注入外管要素14、細管12、側壁に吐出口14ａを有しない注入外管要素14である。
【００３７】
これら図１７（ａ）、（ｂ）、（ｃ）、（ｄ）、（ｅ）、（ｆ）を台座９の細管挿入孔10および注入外管挿入孔11にそれぞれ細管12および注入外管要素14を挿入することにより任意に組み合わせ、図１８〜図２１に示される注入管２、２・・・２がそれぞれ形成される。
【００３８】
図１８は袋パッカ付細管要素Ｍ、注入外管要素14、細管12、袋パッカ付細管要素Ｎ、注入外管要素14、細管12、袋パッカ付細管要素Ｏをそれぞれ上方から順次に組み合わせて形成される注入管２である。
【００３９】
図１９（ａ）は袋パッカ付細管要素Ｍ、注入外管要素14、細管12、袋パッカ付細管要素Ｎ、注入外管要素14、細管12、袋パッカ付細管要素Ｐ−１をそれぞれ上方から順次に組み合わせて形成される注入管２である。図１９（ｂ）は袋パッカ付細管要素Ｐの下方にさらに注入外管要素14（吐出口14ａを有する）を連結して形成される注入管２である。
【００４０】
図２０は袋パッカ付細管要素Ｎ、注入外管要素14、細管12、袋パッカ付細管要素Ｐ−１を上方から順次に組み合わせて形成される注入管２である。
【００４１】
図２１は袋パッカ付細管要素Ｎ、注入外管要素14（吐出口を有しない）、細管12、袋パッカ細管要素Ｐ−１を上方から順次に組み合わせて形成される注入管２である。
【００４２】
以上の注入外管を例とした注入機能を有する支持棒は硬質であるがため注入管全体の形状保持に役立つのみならず少なくとも袋体の範囲には側壁に吐出口が存在し、その吐出口から袋体に固結材を注入して袋体を膨脹させてパッカを形成できる。この場合、複数の袋体内には一本の注入外管から注入できるので、図１４に比べて細管の本数が少なくてすみ削孔径が小さくてすむという利点がある。
【００４３】
図２２（ａ）は中実注入管要素Ｑであって、中実注入管２の軸方向に複数本の細管12を穿設するとともに、側壁２ｃに、内管12に通じる少なくとも一個の吐出口６ａを開口し、かつ下端内側に連結部としてねじ２ｂを切って形成される。吐出口６ａはゴムスリーブ４によって覆われる。
【００４４】
図２２（ｂ）は中実注入管要素Ｒであって、上下の両方に連結部としてねじ２ｂ、２ｂを切ったことを除いて図２２（ａ）と同様である。図２２（ｂ）において、上端のねじ２ｂは中実注入管２の径よりもやや小さい径を有して外側に切られ、下端のねじ２ｂは図２２（ａ）と同様内側に切られている。
【００４５】
図２２（ｃ）は中実注入管要素Ｓであって、中実注入管２の軸方向に一本の細管12が穿設されるとともに、上端にねじ２ｂを中実注入管２の径よりもやや小さい径を有して外側に切られて形成される。
【００４６】
図２３は図２２（ａ）、（ｂ）、（ｃ）に示される中実注入管要素をそれぞれねじ２ｂで上方から順次に連結して組み合わせることにより形成された中実注入管２である。
【００４７】
図２４（ａ）は中実注入管要素Ｔであって、下端外側に連結部としてねじ２ａを切ったことを除いて図２２（ａ）と同様である。
【００４８】
図２４（ｂ）は中実注入管要素Ｕであって、上下端外側に連結部としてねじ２ａ、２ａを切ったことを除いて図２２（ｂ）と同様である。
【００４９】
図２４（ｃ）は中実注入管要素Ｖであって、上端外側に連結部としてねじ２ａを切ったことを除いて図２２（ｃ）と同様である。
【００５０】
図２５は図２２（ａ）、（ｂ）、（ｃ）に示される中実注入管要素をそれぞれ、図２４（ｄ）に示される連結部１によりねじ２ａと合わせ、上方から順次に連結して組み合わせることにより形成された中実注入管２である。
【００５１】
上述の図１〜図２５において、各種注入管要素は一単位２０cm〜３ｍの長さであることが運搬上、あるいは取扱上好ましい。
【００５２】
【発明の効果】
上述の本発明注入管は次の効果を奏し得る。
【００５３】
（ａ）長さの短い複数種の注入管要素（パーツ）を現場に搬入し、現場で注入深度に合わせて任意の長さに組み立てて形成するため、運搬が容易である。
【００５４】
（ｂ）注入管要素を現場で組み合わせることにより任意の長さに簡単に調整できる。
【００５５】
（ｃ）注入管要素を現場で組み合わせることにより、所定の深さの個所に吐出口や袋パッカを容易に取り付けられる。
【図面の簡単な説明】
【図１】（ａ）、（ｂ）はそれぞれ本発明に用いられる袋パッカ付注入管要素の一具体例である。
【図２】（ａ）、（ｂ）、（ｃ）、（ｄ）はそれぞれ本発明に用いられる管状注入管要素の具体例である。
【図３】（ａ）、（ｂ）、（ｃ）、（ｄ）はそれぞれ本発明注入管の最下部に用いられる注入管要素の一具体例である。
【図４】図１〜図３に示される注入管要素を用いて組み立てられた注入管である。
【図５】図１〜図３の注入管要素を用いて組み立てられた注入管である。
【図６】図１〜図３の注入管要素を用いて組み立てられた注入管である。
【図７】（ａ）、（ｂ）、（ｃ）、（ｄ）、（ｅ）、（ｆ）は本発明に用いられる注入管要素の具体例である。
【図８】（ａ）、（ｂ）、（ｃ）、（ｄ）、（ｅ）、（ｆ）、（ｇ）は本発明に用いられる注入管要素の具体例である。
【図９】図７〜図８の注入管要素を用いて組み立てられた注入管である。
【図１０】図７〜図８の注入管要素を用いて組み立てられた注入管である。
【図１１】図７〜図８の注入管要素を用いて組み立てられた注入管である。
【図１２】図７〜図８の注入管要素を用いて組み立てられた注入管である。
【図１３】（ａ）、（ｂ）、（ｃ）、（ｄ）、（ｅ）は本発明に用いられる注入管要素の具体例である。
【図１４】図１３の注入管要素を用いて組み立てられた注入管である。
【図１５】（ａ）、（ｂ）、（ｃ）、（ｄ）、（ｅ）は本発明に用いられる注入管要素の具体例である。
【図１６】図１５の注入管要素を用いて組み立てられた注入管である。
【図１７】（ａ）、（ｂ）、（ｃ）、（ｄ）、（ｅ）、（ｆ）は本発明に用いられる注入管要素の具体例である。
【図１８】図１７の注入管要素を用いて組み立てられた注入管である。
【図１９】（ａ）、（ｂ）いずれも図１７の注入管要素を用いて組み立てられた注入管である。
【図２０】図１６の注入管要素を用いて組み立てられた注入管である。
【図２１】図１７の注入管要素を用いて組み立てられた注入管である。
【図２２】（ａ）、（ｂ）、（ｃ）は本発明に用いられる注入管要素の具体例である。
【図２３】図２２の注入管要素を用いて組み立てられた注入管である。
【図２４】（ａ）、（ｂ）、（ｃ）、（ｄ）は本発明に用いられる注入管要素の具体例である。
【図２５】図２４の注入管要素を用いて組み立てられた注入管である。
【符号の説明】
Ａ  袋パッカ付注入管要素
Ｂ  管状注入管要素
Ｃ  管状注入管要素
Ｄ  袋パッカ付注入管要素
Ｅ  管状注入管要素
Ｆ  管状注入管要素
Ｇ  袋パッカ付細管要素
Ｈ  袋パッカ付細管要素
Ｉ−１  袋パッカ付細管要素
Ｉ−２  袋パッカ付細管要素
Ｊ  袋パッカ付細管要素
Ｋ  袋パッカ付細管要素
Ｌ−１  袋パッカ付細管要素
Ｌ−２  袋パッカ付細管要素
Ｍ  袋パッカ付細管要素
Ｎ  袋パッカ付細管要素
Ｏ  袋パッカ付注入外管要素
Ｐ−１  袋パッカ付注入外管要素
Ｐ−２  袋パッカ付注入外管要素
Ｑ  中実注入管要素
Ｒ  中実注入管要素
Ｓ  中実注入管要素
Ｔ  中実注入管要素
Ｕ  中実注入管要素
Ｖ  中実注入管要素
Ｗ−１  細管組合せ体
Ｗ−２  細管組合せ体
Ｗ−３  細管組合せ体
Ｗ−４  細管組合せ体
Ｗ−５  細管組合せ体
Ｗ−６  細管組合せ体
１  連結部
２  注入管
２ａ  ねじ
２ｂ  ねじ
２ｃ  側壁
５  袋パッカ
６  吐出口
６ａ  吐出口
７  削孔
８  地盤
９  台座
９ａ  上面
９ｂ  側面
９ｃ  下面
10  細管挿入孔
11  孔
12  細管
12ａ  細管
13  支持棒
14  注入外管
【図１】
0003673146.tif 000002
【図２】
0003673146.tif 000003
【図３】
0003673146.tif 000004
【図４】
0003673146.tif 000005
【図５】
0003673146.tif 000006
【図６】
0003673146.tif 000007
【図７】
0003673146.tif 000008
【図８】
0003673146.tif 000009
【図９】
0003673146.tif 000010
【図１０】
0003673146.tif 000011
【図１１】
0003673146.tif 000012
【図１２】
0003673146.tif 000013
【図１３】
0003673146.tif 000014
【図１４】
0003673146.tif 000015
【図１５】
0003673146.tif 000016
【図１６】
0003673146.tif 000017
【図１７】
0003673146.tif 000018
【図１８】
0003673146.tif 000019
【図１９】
0003673146.tif 000020
【図２０】
0003673146.tif 000021
【図２１】
0003673146.tif 000022
【図２２】
0003673146.tif 000023
【図２３】
0003673146.tif 000024
【図２４】
0003673146.tif 000025
【図２５】
0003673146.tif 000026